【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
ビルダー組成物であって、
Ａ）ａ１）メチルグリシン−Ｎ−Ｎ−二酢酸（ＭＧＤＡ）及び／又はそれらのアルカリ塩、並びに／又は
ａ２）Ｎ，Ｎ−ビス（カルボキシメチル）−Ｌ−グルタメート（ＧＬＤＡ）及び／又はそれらのアルカリ塩、並びに／又は
ａ３）エチレンジアミン四酢酸（ＥＤＴＡ）及び／又はそれらのアルカリ塩
を含むキレート成分、
Ｂ）ｂ１）金属ケイ酸塩、及び／又は
ｂ２）金属炭酸塩、及び／又は
ｂ３）金属クエン酸
を含むビルダー成分、
Ｃ）ｃ１）アクリル酸−マレイン酸コポリマー、及び／又は
ｃ２）ポリアクリル酸（ＰＡＡ）
を含むポリマー成分、並びに
Ｄ）場合により、アルカリ成分、及び
Ｅ）場合により、リン含有成分
を含むビルダー組成物であり、その際、以下の条件Ｐ及びＺの少なくとも１つ
【数１】
2013518984.tif 000001
及び／又は
【数２】
2013518984.tif 000002
が適正であり、ここで、
ｉｘ）０＜Ｐ≦３．５
ｘ）０＜Ｚ≦３．５
ｘｉ）ａ１、ａ２及びａ３の少なくとも１つは、０より大きく１．０未満であり、
ｘｉｉ）ｂ１、ｂ２及びｂ３の少なくとも１つは、０より大きく１．０未満であり、
ｘｉｉｉ）ｃ１及びｃ２の少なくとも１つは、０より大きく１．０未満であり、
ｘｉｖ）Ｄは、０から１．０未満の範囲であり、
ｘｖ）Ｅは、０から１．０未満の範囲であり、
ｘｖｉ）ａ１＋ａ２＋ａ３＋ｂ１＋ｂ２＋ｂ３＋ｃ１＋ｃ２＋Ｄ＋Ｅ＝１．０、
Ｐは、セラミック基材上でのビルダー組成物のタンパク質除去の性能であり、Ｚは、セラミック基材上でのビルダー組成物の炭水化物除去の性能であり、ａ１は、キレート成分ａ１）の質量分率であり、ａ２は、キレート成分ａ２）の質量分率であり、ａ３は、キレート成分ａ３）の質量分率であり、ｂ１は、金属ケイ酸塩ｂ１）の質量分率であり、ｂ２は、金属炭酸塩ｂ２）の質量分率であり、ｂ３は、金属クエン酸塩ｂ３）の質量分率であり、ｃ１は、アクリル酸−マレイン酸コポリマーｃ１）の質量分率であり、ｃ２は、ＰＡＡｃ２）の質量分率であり、Ｄは、任意のアルカリ成分Ｄ）の質量分率であり、Ｅは、任意のリン含有成分Ｅ）の質量分率であり、
質量分率は、ビルダー組成物中に存在するキレート成分Ａ）、ビルダー成分Ｂ）、ポリマー成分Ｃ）、並びに場合によりアルカリ成分Ｄ）及びリン含有成分Ｅ）の合計量に基づく、ビルダー組成物。
【請求項２】
次の条件Ｆ
【数３】
2013518984.tif 000003
も適正であり、ここでＦは、セラミック基材上のビルダー組成物の膜形成を低減する性能であり、かつ０＜Ｆ≦３．５である、請求項１に記載のビルダー組成物。
【請求項３】
前記キレート成分Ａ）が、Ｎａ3・ＭＧＤＡを含み、かつ前記キレート成分Ａ）が水性であり、前記Ｎａ3・ＭＧＤＡが、キレート成分Ａ）１００質量部に対して約３５〜約４５質量部の量で存在する、請求項１又は２に記載のビルダー組成物。
【請求項４】
前記ビルダー組成物Ｂ）が、ｂ１）金属ケイ酸塩、ｂ２）金属炭酸塩及びｂ３）金属クエン酸塩を含む、請求項１から３までのいずれか１項に記載のビルダー組成物。
【請求項５】
前記Ａ）キレート成分が、ａ１）ＭＧＤＡを含み、かつビルダー組成物１００質量部に対して５〜１０質量部の量で存在し、Ｂ）ビルダー成分が、ビルダー組成物１００質量部に対して１５〜２５質量部の量で存在し、かつＣ）ポリマー成分が、ｃ１）アクリル酸−マレイン酸コポリマーを含み、かつビルダー組成物１００質量部に対して３０〜３５質量部の量で存在し、かつビルダー組成物は、さらに、ビルダー組成物１００質量部に対して４０〜４５質量部の量で存在するＤ）アルカリ成分を含む、請求項１から４までのいずれか１項に記載のビルダー組成物。
【請求項６】
ビルダー組成物であって、
Ａ）ａ１）メチルグリシン−Ｎ−Ｎ−二酢酸（ＭＧＤＡ）及び／又はそれらのアルカリ塩、並びに／又は
ａ２）Ｎ，Ｎ−ビス（カルボキシメチル）−Ｌ−グルタメート（ＧＬＤＡ）及び／又はそれらのアルカリ塩、並びに／又は
ａ３）エチレンジアミン四酢酸（ＥＤＴＡ）及び／又はそれらのアルカリ塩
を含むキレート成分、
Ｂ）ｂ１）金属ケイ酸塩、及び／又は
ｂ２）金属炭酸塩、及び／又は
ｂ３）金属クエン酸
を含むビルダー成分、
Ｃ）ｃ１）アクリル酸−マレイン酸コポリマー、及び／又は
ｃ２）ポリアクリル酸（ＰＡＡ）
を含むポリマー成分、並びに
Ｄ）場合により、アルカリ成分、及び
Ｅ）場合により、リン含有成分
を含むビルダー組成物であり、その際、水中での百万分率でＣａＣＯ3としてＣａ2+の硬度（Ｈ）を有し、華氏度での温度（Ｔ）を有する水を使用する、以下の条件Ｓの少なくとも１つ
【数４】
2013518984.tif 000004
が適正であり、ここで、
ｖｉｉｉ）１８０≦Ｓ
ｉｘ）ａ１、ａ２及びａ３の少なくとも１つは、０より大きく１．０未満であり、
ｘ）ｂ１、ｂ２及びｂ３の少なくとも１つは、０より大きく１．０未満であり、
ｘｉ）ｃ１及びｃ２の少なくとも１つは、０より大きく１．０未満であり、
ｘｉｉ）Ｄは、０から１．０未満の範囲であり、
ｘｉｉｉ）Ｅは、０から１．０未満の範囲であり、
ｘｉｖ）ａ１＋ａ２＋ａ３＋ｂ１＋ｂ２＋ｂ３＋ｃ１＋ｃ２＋Ｄ＋Ｅ＝１．０、
Ｓは、織物上でのビルダー組成物のシミ除去の性能であり、ａ１は、キレート成分ａ１）の質量分率であり、ａ２は、キレート成分ａ２）の質量分率であり、ａ３は、キレート成分ａ３）の質量分率であり、ｂ１は、金属ケイ酸塩ｂ１）の質量分率であり、ｂ２は、金属炭酸塩ｂ２）の質量分率であり、ｂ３は、金属クエン酸塩ｂ３）の質量分率であり、ｃ１は、アクリル酸−マレイン酸コポリマーｃ１）の質量分率であり、ｃ２は、ＰＡＡ ｃ２）の質量分率であり、Ｄは、任意のアルカリ成分Ｄ）の質量分率であり、Ｅは、任意のリン含有成分Ｅ）の質量分率であり、
質量分率は、ビルダー組成物中に存在するキレート成分Ａ）、ビルダー成分Ｂ）、ポリマー成分Ｃ）、並びに場合によりアルカリ成分Ｄ）及びリン含有成分Ｅ）の合計量に基づく、ビルダー組成物。
【請求項７】
前記Ａ）キレート成分が、ａ１）ＭＧＤＡを含み、かつビルダー組成物１００質量部に対して１０〜１５質量部の量で存在し、Ｂ）ビルダー成分が、ビルダー組成物１００質量部に対して３０〜３５質量部の量で存在し、かつＣ）ポリマー成分が、ｃ１）アクリル酸−マレイン酸コポリマーを含み、かつビルダー組成物１００質量部に対して５０〜６０質量部の量で存在する、請求項６に記載のビルダー組成物。
【請求項８】
ビルダー組成物であって、
Ａ）ａ１）メチルグリシン−Ｎ−Ｎ−二酢酸（ＭＧＤＡ）及び／又はそれらのアルカリ塩、並びに／又は
ａ２）Ｎ，Ｎ−ビス（カルボキシメチル）−Ｌ−グルタメート（ＧＬＤＡ）及び／又はそれらのアルカリ塩、並びに／又は
ａ３）エチレンジアミン四酢酸（ＥＤＴＡ）及び／又はそれらのアルカリ塩
を含むキレート成分、
Ｂ）ｂ１）金属ケイ酸塩、及び／又は
ｂ２）金属炭酸塩、及び／又は
ｂ３）金属クエン酸
を含むビルダー成分、
Ｃ）ｃ１）アクリル酸−マレイン酸コポリマー、及び／又は
ｃ２）ポリアクリル酸（ＰＡＡ）
を含むポリマー成分、並びに
Ｄ）場合により、アルカリ成分、及び
Ｅ）場合により、リン含有成分
を含むビルダー組成物であり、その際、以下の条件Ｘ
【数５】
2013518984.tif 000005
が適正であり、ここで、
ｖｉｉｉ）６５≦Ｘ
ｉｘ）ａ１、ａ２及びａ３の少なくとも１つは、０より大きく１．０未満であり、
ｘ）ｂ１、ｂ２及びｂ３の少なくとも１つは、０より大きく１．０未満であり、
ｘｉ）１つのｃ１及びｃ２の少なくとも１つは、０より大きく１．０未満であり、
ｘｉｉ）Ｄは、０から１．０未満の範囲であり、
ｘｉｉｉ）Ｅは、０から１．０未満の範囲であり、
ｘｉｖ）ａ１＋ａ２＋ａ３＋ｂ１＋ｂ２＋ｂ３＋ｃ１＋ｃ２＋Ｄ＋Ｅ＝１．０、
Ｘは、Ｆｅｄｅｒａｌ Ｓｔａｎｄａｒｄ Ｔｅｓｔ Ｍｅｔｈｏｄ ＃５３６に従ったビニルタイル上でのビルダー組成物の油／酸化鉄のシミ除去の性能であり、ａ１は、キレート成分ａ１）の質量分率であり、ａ２は、キレート成分ａ２）の質量分率であり、ａ３は、キレート成分ａ３）の質量分率であり、ｂ１は、金属ケイ酸塩ｂ１）の質量分率であり、ｂ２は、金属炭酸塩ｂ２）の質量分率であり、ｂ３は、金属クエン酸塩ｂ３）の質量分率であり、ｃ１は、アクリル酸−マレイン酸コポリマーｃ１）の質量分率であり、ｃ２は、ＰＡＡ ｃ２）の質量分率であり、Ｄは、任意のアルカリ成分Ｄ）の質量分率であり、Ｅは、任意のリン含有成分Ｅ）の質量分率であり、
質量分率は、ビルダー組成物中に存在するキレート成分Ａ）、ビルダー成分Ｂ）、ポリマー成分Ｃ）、並びに場合によりアルカリ成分Ｄ）及びリン含有成分Ｅ）の合計量に基づく、ビルダー組成物。
【請求項９】
前記Ａ）キレート成分が、ａ１）ＭＧＤＡを含み、かつビルダー組成物１００質量部に対して５〜２０質量部の量で存在し、Ｂ）ビルダー成分が、ビルダー組成物１００質量部に対して３０〜６０質量部の量で存在し、かつＣ）ポリマー成分が、ｃ１）アクリル酸−マレイン酸コポリマーを含み、かつビルダー組成物１００質量部に対して１５〜５５質量部の量で存在し、かつビルダー組成物は、さらに、ビルダー組成物１００質量部に対して１〜４５質量部の量で存在するＤ）アルカリ成分を含む、請求項８に記載のビルダー組成物。
【請求項１０】
前記ビルダー組成物１００質量部毎に、リン含有成分Ｅ）の２質量部未満を含み、又は
前記リン含有成分Ｅ）を有さない、請求項１から９までのいずれか１項に記載のビルダー組成物。